(57)【要約】      （修正有）【課題】看護側にとって点滴処置等が行いやすく、且つ、患者が誤って点滴を外してしまうことを効果的に防ぐことができる病衣用ズボンを提供する。【解決手段】裾部に非伸縮性の生地により開閉自在に形成されたカフス５を備えた。【選択図】図１
0003186751.tif 000002
【実用新案登録請求の範囲】
【請求項１】
裾部に非伸縮性の生地により開閉自在に形成されたカフスを備えた病衣用ズボン。
【請求項２】
ウエスト部もしくはカフスのいずれか、または、ウエスト部及びカフスの両方にライン類を挿通可能な留め具を設けたことを特徴とする請求項１に記載の病衣用ズボン。
【請求項３】
前記カフスのボタンを３個設けることで袖口の開口寸法を３段階調整可能とすることを特徴とする請求項１または請求項２のいずれかに記載の病衣用ズボン。
【請求項４】
前立てに設けられたボタンホールあるいはカフスに設けられたボタンホールのいずれか一方、あるいはそれらの両方が横方向に開口していることを特徴とする請求項１ないし３のいずれか１項に記載の収納部付き病衣用ズボン。
【考案の詳細な説明】
【技術分野】
【０００１】
本考案は、点滴等の処置が必要な患者、特に、認知症などの症状により介護が必要とされている患者の病衣用ズボンに関するものである。
【背景技術】
【０００２】
従来、点滴等の治療が必要な患者が着用する病衣用上着としては、看護士や介護士などが処置を行いやすくなるように、袖の部分にファスナーやマジックテープ（登録商標）を設けて袖の一部を開閉自在に設け、処置の際にはかかるファスナー等を大きく開け、点滴処置後に閉めることが行われていた（特許文献１および２）
【０００３】
しかしながら、病衣用のズボンにおいてこのような点滴の処置について考慮したものは少なく、特許文献３においてファスナーを腹部から裾まで設けたズボンが開示されているが、このものは、看護する側からは点滴等の処置が行いやすくなる反面、患者にとっても、容易にファスナーを開閉できるため、以下の問題が生じていた。すなわち、認知症などの症状を有する患者の場合、点滴に対する不快感から点滴を無理矢理外そうとする場合があり、ズボンの一部が簡単に開いて点滴部分が露出してしまうと、点滴が簡単に外されるおそれがあった。
【先行技術文献】
【特許文献】
【０００４】
【特許文献１】特開２００２−１８０３１１
【特許文献２】特開２００４−２３２１７８
【特許文献３】特開２００５−３０７４１４
【考案の概要】
【考案が解決しようとする課題】
【０００５】
そこで本考案は、看護側にとって点滴処置等が行いやすく、且つ、患者が誤って点滴を外してしまうことを効果的に防ぐことができる病衣用ズボンを提供することをその課題とするものである。
【課題を解決するための手段】
【０００６】
本考案は、上記課題を解決するものであり、裾部に非伸縮性の生地により開閉自在に形成されたカフスを備えた病衣用ズボンである。
【考案の効果】
【０００７】
本考案の病衣用ズボンは、裾部に非伸縮性の生地により形成されたカフスを設けることで、着用者が裾を捲って点滴等のライン類を外してしまうことを防ぐことができる。
【０００８】
本考案の病衣用ズボンで、ウエスト部とカフスのいずれかに、あるいはウエスト部とカフスの両方に、カテーテルやチューブなどのライン類を挿通するための留め具を設けたものは、ライン類を効果的に固定することができる。
【図面の簡単な説明】
【０００９】
【図１】本考案に係る病衣用ズボンの正面図。
【考案を実施するための形態】
【００１０】
以下、本考案の病衣ズボンの一実施態様を、図面に基づいて具体的に説明する。なお、本考案はこれら実施態様に何ら制約されるものではない。
【００１１】
図１に示すように、本考案にかかる病衣ズボンは、本体１が裾部にカフス５を備えた長ズボンに形成されており、前立て２において開閉可能に形成されている。前立て２にはボタン２１が取り付けられているが、かかるボタン２１を係止するためのボタンホール２２は横方向に開口して形成されている。このようにボタンホール２２を通常の縦方向ではなく横方向に形成すると、ボタンを外しにくくなるため、認知症などの症状を有する着用者が誤ってボタンを外すことを防ぐことができる。ボタン２１は通常よりも大きめのものが好ましく、特に、直径１０ｍｍ〜２５ｍｍのものが好ましい。また、股下部分にはマチが設けられ、おむつをはいていても着脱が容易となっている。さらに、ウエスト部３には太めのゴムが縫い付けられている。
【００１２】
裾部に形成されたカフス５は、ボタン５１の着脱により開閉可能となっているが、かかるボタン５１は複数設けることが好ましく、特に、カフス５の周方向に間隔をあけて３箇所設けることが好ましい。これにより、裾の開口寸法を３段階調整可能となり、裾からライン類を出すときも、適宜調整することができる。かかる調整範囲は任意に設定することができるが、着用者の平均的な足首周り寸法を考慮すると、１００ｍｍ〜２５０ｍｍの範囲で設定することが好ましい。なお、カフス５のボタン５１は、着用者のくるぶし側に位置するように設けることが好ましい。これにより、着用者はボタンが外しにくくなるため、認知症などの症状を有する着用者が誤ってボタンを外してしまうことを防ぐことができる。ボタン５１は通常よりも大きめのものが好ましく、特に、直径１０ｍｍ〜２５ｍｍのものが好ましい。さらに、ボタン５１を係止するためのボタンホール（図示せず）は、着用者が誤ってボタンを外すことを防ぐために、通常の縦方向ではなく横方向に形成してもよい。
【００１３】
また、カフス５の上部には連続してスリット６が設けられており、このスリット６とカフス５を開けることにより、裾部を上部に大きく捲り上げることが可能となり、脚部に対する注射や点滴などの処置が容易となる。また、スリット６には途中にボタン６１が設けられている。このように、スリット６にボタン６１を設けることで、かかるスリット６部分が開いて肌が露出することを防ぐことができる。なお、スリット６の深さは、１００ｍｍ〜２００ｍｍが好ましい。
【００１４】
カフス５は、非伸縮性の生地により形成されおり、好ましくは、綿１００パーセントの布帛生地によって形成されている。このように、袖口に非伸縮性の生地で形成したカフスを設けることより、着用者が裾を捲り上げて点滴を外すことを防ぐことができる。なお、本考案の病衣ズボンにおいて、その他の部分の素材については特に制限はないが、直に肌に着用することを想定しているため、肌触りのよい伸縮性の生地が好ましく、綿１００パーセントのメリヤス生地が好ましい。
【００１５】
また、本考案の病衣用ズボンには、ウエスト部３とカフス５のいずれかに、あるいはウエスト部３とカフス５の両方に、カテーテルやチューブなどのライン類を挿通して固定するための留め具７を設けても良い。留め具７は、ライン類を挿通可能な環状に形成されていれば良いが、例えばこれを２本のリボン状として、ライン類を固定するときに結んで環状にしてもよい。さらに、ライン類をより簡単に固定するために、互いに係止可能な雄雌のホックを有する、いわゆるテープスナップを利用することができ、ライン類を固定するときだけホックを止めてループを形成してもよい。
【００１６】
かかる留め具７は、点滴などの処置を行った脚が右脚の場合、左脚の場合それぞれ対応できるように、ウエスト部３の左右２箇所、具体的には、左右の骨盤付近、もしくは、左右のカフス５の着用者から目に付きにくい外側にそれぞれ設けることが好ましい。留め具７は、綿・ポリエステルなどの柔らかい素材で形成することが好ましく、病衣の生地と同色としても良いが、看護者もしくは介護者が識別しやすいように、病衣の生地とは異なる色で形成し、且つ、着用者には目立たない色にすることが好ましい。
【符号の説明】
【００１７】
１……本体
２……前立て
３……ウエスト部
４……マチ
５……カフス
６……スリット
７……留め具
２１……ボタン
２２……ボタンホール
５１……ボタン
６１……ボタン
【図１】
0003186751.tif 000003